(57)【要約】【課題】簡単に配電線の活線状態を判断して、配電線の活線／非活線状態を自動表示するビル管理システムを得る。【解決手段】電力スケルトン図をグラフィック表示し、この表示された電力スケルトン図の配電機器及び配電機器間の配電線を定義するとともに、各配電線の始点と終点を定義してテーブル化し、このテーブル化した定義に基づき、別途入力される配電機器のオンオフ状態に応じて、配電機器がオン状態であれば、これに接続された配電線が活線状態になるように、表示された電力スケルトン図における配電線の活線／非活線を色変化させる。【選択図】図１
2010183775.tif 000002
【特許請求の範囲】
【請求項１】
配電機器及び配電機器間の配電線を管理するビル管理システムであって、
上記配電機器及び配電線の電力スケルトン図をグラフィック表示する画面表示手段、
この画面表示手段によって表示された電力スケルトン図上で上記配電機器及び配電機器間の配電線を定義するとともに、各配電線の始点と終点を定義する定義手段を備え、
上記画面表示手段は、上記定義手段により定義された配電機器及び配電線の定義に基づき、上記配電線に関連する配電機器の状態に応じて、上記グラフィック表示された上記配電線の活線／非活線を表示するようにしたことを特徴とするビル管理システム。
【請求項２】
電力スケルトン図を入力する入力手段、
この入力手段により入力された電力スケルトン図を処理して、上記画面表示手段上にグラフィック表示する入力処理手段を備え、
上記入力手段により、上記画面表示手段に表示された画面上で上記電力スケルトン図の配電機器及び配電線を配置すると、自動的に上記定義手段による定義が行われることを特徴とする請求項１記載のビル管理システム。
【請求項３】
上記画面表示手段によって表示される電力スケルトン図は、２系統が表示されることを特徴とする請求項１または請求項２記載のビル管理システム。
【請求項４】
上記画面表示手段による上記配電線の活線／非活線の表示に当っては、上記配電線の任意の箇所に電流を計測するために設けられた計測点の計測結果が利用されることを特徴とする請求項１〜請求項３のいずれかに記載のビル管理システム。
【請求項５】
上記画面表示手段による上記配電線の活線／非活線の表示に当っては、電流の流れる方向も表示することを特徴とする請求項１〜請求項４のいずれかに記載のビル管理システム。
【請求項６】
上記画面表示手段による上記配電線の活線／非活線の表示に当っては、上記配電機器の故障や保守の情報も表示されることを特徴とする請求項１〜請求項５のいずれかに記載のビル管理システム。
【請求項７】
上記画面表示手段によりグラフィック表示された電力スケルトン図上で、保守される配電線を設定することにより、上記保守される配電線に関連する配電機器の操作がロックされるようにしたことを特徴とする請求項１〜請求項６のいずれかに記載のビル管理システム。
【発明の詳細な説明】
【技術分野】
【０００１】
この発明は、ビルの設備管理者によって使用され、配電線の活線／非活線状態を自動表示するビル管理システムに関するものである。
【背景技術】
【０００２】
従来のビル管理システムにおいては、配電線の活線状況を論理演算で条件定義するか、直接、配電線から通電状態を状態信号として入力し、グラフィック監視画面に表示させていた。（例えば、特許文献１、特許文献２）
【先行技術文献】
【特許文献】
【０００３】
【特許文献１】特開平７−２６４７８４号公報（第２〜４頁、図１）
【特許文献２】特開平８−１６３７９６号公報（第３〜４頁、図１）
【発明の概要】
【発明が解決しようとする課題】
【０００４】
従来のビル管理システムにおいては、配電線の活線状況について、遮断器の状態信号で条件を定義するため、線分単位で、配電系統の上流域にある遮断器の状態による複雑な論理演算が必要であった。
また、簡潔に表示したい場合は、配電線の通電状態を状態信号として入力しなければならないという問題があった。
【０００５】
この発明は、上述のような課題を解決するためになされたものであり、簡単に配電線の活線状態を判断して、配電線の活線／非活線状態を自動表示するビル管理システムを得ることを目的としている。
【課題を解決するための手段】
【０００６】
この発明に係わるビル管理システムにおいては、配電機器及び配電機器間の配電線を管理するビル管理システムであって、
配電機器及び配電線の電力スケルトン図をグラフィック表示する画面表示手段、
この画面表示手段によって表示された電力スケルトン図上で配電機器及び配電機器間の配電線を定義するとともに、各配電線の始点と終点を定義する定義手段を備え、
画面表示手段は、定義手段により定義された配電機器及び配電線の定義に基づき、配電線に関連する配電機器の状態に応じて、グラフィック表示された配電線の活線／非活線を表示するようにしたものである。
【発明の効果】
【０００７】
この発明は、以上説明したように、配電機器及び配電機器間の配電線を管理するビル管理システムであって、
配電機器及び配電線の電力スケルトン図をグラフィック表示する画面表示手段、
この画面表示手段によって表示された電力スケルトン図上で配電機器及び配電機器間の配電線を定義するとともに、各配電線の始点と終点を定義する定義手段を備え、
画面表示手段は、定義手段により定義された配電機器及び配電線の定義に基づき、配電線に関連する配電機器の状態に応じて、グラフィック表示された配電線の活線／非活線を表示するようにしたので、配電機器の状態変化に応じて、簡単に活線／非活線を表示することができる。
【図面の簡単な説明】
【０００８】
【図１】この発明の実施の形態１によるビル管理システムのスケルトン監視画面を示す図である。
【図２】この発明の実施の形態１によるビル管理システムの線と点、機器と点、線と線分の定義を示す図である。
【図３】この発明の実施の形態２によるビル管理システムの入力手段を示す図である。
【図４】この発明の実施の形態３によるビル管理システムのスケルトン監視画面を示す図である。
【図５】この発明の実施の形態３によるビル管理システムの線と点、機器と点、線と線分の定義を示す図である。
【図６】この発明の実施の形態４によるビル管理システムのスケルトン監視画面を示す図である。
【図７】この発明の実施の形態４によるビル管理システムの線と点、機器と点、線と線分の定義を示す図である。
【図８】この発明の実施の形態６によるビル管理システムの機器の「故障」「保守中」の情報を取り込んだテーブルを示す図である。
【発明を実施するための形態】
【０００９】
実施の形態１．
以下、この発明の実施の形態１を図に基づいて説明する。
図１は、この発明の実施の形態１によるビル管理システムのスケルトン監視画面を示す図である。
図１において、本発明は、配電機器（以下、単に機器という。）及び配電機器間の配電線（以下、単に線という）を管理するビル管理システムから入力された配電機器の状態を示す信号を、１（ＯＮ）０（ＯＦＦ）で状態管理し、電力スケルトンのグラフィック表示画面であるスケルトン監視画面（画面表示手段）に表示して、オペレータに機器の運転状況を提供するようにしたものである。
図１の表に示すように、機器１がＯＮの場合に、機器１に繋がる線１は充電状態となり、機器２がＯＮの場合は、線２が充電状態になる。さらに、機器３がＯＮの場合は、線３、線５が充電状態となり、機器４が充電の場合は、線４が充電状態となり、機器５が充電の場合は、線６が充電状態となり、これらはスケルトン監視画面に表示される。
【００１０】
図２は、この発明の実施の形態１によるビル管理システムの線と点、機器と点、線と線分の定義を示す図である。
図２（ａ）は、線と点の定義を示す図、図２（ｂ）は、点と機器の定義を示す図、図２（ｃ）は、線と線分の定義を示す図である。
図２（ａ）において、○は始点、△は終点を示している。図２（ｂ）において、○は機器の入力点を示している。図２（ｃ）において、○は線を分割したときの該当する線分を示している。図２（ａ）〜図２（ｃ）の各定義は、定義手段により手入力される。
【００１１】
次に、動作について説明する。
本発明では、機器と線の接続部にあたる点番号で充電状態を管理することにより、直前の点情報もしくは直前の点と機器のＡＮＤ条件情報のみで、線の活線状態を判断できるようにしている。
図１のスケルトン監視画面の例では、図２のように、線と点、機器の入力点、線と線分を定義し、これを元にして、充電状態を判定して、スケルトン監視画面上で色変化させて表示する。
図２（ａ）において、スケルトン監視画面上の機器から機器までの電流の流れを線番号で定義し、線の終端を点で表している。次に、線には始点○と終点△の点を定義する。線
に対して定義された点の始点が充電であれば、線も充電とする。
図２（ｂ）では、点に対する機器の定義を行う。各線の始点に対して機器が定義されていた場合、機器が状態１（ＯＮ）で、かつ充電であれば、点の始点○は充電とし、さらに点を始点○とする線の終点△を充電とする。
また、各機器においても、機器の充電を判断するため、機器の入力点○を定義し、機器の入力点○が充電中ならば、該当機器は充電中であると判定する。各充電の判定は、入力点○がない機器（図１では機器１）を判定開始の初回演算点とし、演算を行うことで、最終的に全ての線、機器の充電を判定できる。
図２（ｃ）においては、描画を行うため、線を、線分単位に分割して定義し（○で示す）、各線での経路を定義する。各線の始点が充電していることを条件に、線分を充電と判断する。
充電と判断されれば、スケルトン監視画面上の線を色変化させる。
【００１２】
実施の形態１によれば、これにより、機器の状態変化に応じて簡単に活線状態を色変化で表せるビル管理システムの監視画面を得ることができる。
【００１３】
実施の形態２．
図３は、この発明の実施の形態２によるビル管理システムの入力手段を示す図である。
図３において、入力手段２０３により図１に示されるスケルトン図が作成される。入力手段２０３で作成された図は、入力処理手段２０２で処理され、画面表示手段２０１上に表示される。そして、入力手段２０３を使って、画面表示手段２０１上で機器を配置することにより、図２（ｂ）のように機器が自動的に定義される。
【００１４】
実施の形態１は、図２の定義を手入力される場合のものであったが、実施の形態２は、図３の入力手段２０３を用いて、図１のスケルトン図を作図することにより、図２（ｂ）の表を自動的に生成するようにしたものである。
図１の機器１〜機器５を、入力手段２０３により作図すると、入力処理装置２０２で処理され、画面表示手段２０１上に表示される。画面表示手段２０１上でこれらの機器を配置すると、図２（ｂ）のように機器が定義される。
次に、線分１の始点を点１とし、終点を点２として、画面上に配置すると、図２（ａ）〜図２（ｃ）までの定義を自動的に行うことができる。
【００１５】
実施の形態２によれば、入力手段により画面表示手段上に機器及び線分を配置することにより、活線／非活線状態の判断に必要な定義を自動的に行うことができる。
【００１６】
実施の形態３．
図４は、この発明の実施の形態３によるビル管理システムのスケルトン監視画面を示す図である。
図４（ａ）は、本線給電の場合を示す図、図４（ｂ）は、予備線給電の場合を示す図である。
図４において、１系が本線を示し、２系が予備線を示している。
【００１７】
図５は、この発明の実施の形態３によるビル管理システムの線と点、機器と点、線と線分の定義を示す図である。
図５（ａ）は、線単位の入力点（始点）と出力点（終点）の定義を示す図、図５（ｂ）は、入力点の充電条件を示す図、図５（ｃ）は、線単位での線分の経路の定義を示す図である。
図５（ａ）において、○は始点、△は終点を示す。図５（ｂ）においては、○は該当機器が充電する条件となる入力点、△は該当機器が充電中でかつ機器が入で充電となる入力点、▲は充電となる入力点（演算開始点）を示している。図５（ｃ）においては、線分の
接続順を定義している。
【００１８】
実施の形態１では、大元の給電元、すなわち、判定開始の初回演算点が１点、１系統受電の場合であるが、本線、予備線の２系統受電の場合もある。実施の形態３は、図４に示すスケルトン監視画面のように、２系統受電の場合についてのものである。
図４の場合、給電元単位に、線番号を定義する。因みに、図４（ａ）が本線給電の場合、図４（ｂ）が予備線給電の場合の定義である。本線／予備線の給電に関わらず、同一の線となる場合の定義は、重複して行う必要はない。
図４のスケルトン図についての定義の結果は、図５（ａ）〜図５（ｃ）に示されるとおりである。図５（ｃ）にて、線分単位に当該線分の属する線が充電状態かどうかのＯＲ集約を行う。
その結果、有意の場合、該当線分は充電と判定し、充電表示を行うことができる。
【００１９】
実施の形態３によれば、この方法により、給電元単位に充電の可能性がある線を定義するだけで、活線／非活線表示を行うことが可能となる。
【００２０】
実施の形態４．
図６は、この発明の実施の形態４によるビル管理システムのスケルトン監視画面を示す図である。
図６（ａ）は、本線給電の場合を示す図、図６（ｂ）は、予備線給電の場合を示す図である。
図６において、１系が本線を示し、２系が予備線を示し、１系、２系の各所に計測点が設けられていることを示している。
【００２１】
図７は、この発明の実施の形態４によるビル管理システムの線と点、機器と点、線と線分の定義を示す図である。
図７（ａ）は、線単位の入力点（始点）と出力点（終点）の定義を示す図、図７（ｂ）は、入力点の充電条件を示す図、図７（ｃ）は、線単位での線分の経路の定義を示す図である。
図７（ａ）において、○は始点、△は終点を示す。図７（ｂ）においては、○は該当機器が充電する条件となる入力点、△は該当機器が充電中でかつ機器が入で充電となる入力点、▲は充電となる入力点（演算開始点）を示している。図７（ｃ）においては、線分の接続順を定義している。
【００２２】
実施の形態１及び実施の形態３では、機器の状態１（ＯＮ）を判定条件としたが、実施の形態４は、図６に示すとおり、系の各所に計測点を設け、その電流計測値が０より大きい場合、充電と判定する機能を付加している。
この機能を入力点の判定条件に使用する。図７に計測点を充電判定として追加した場合の表を記載する。
計測点を、判定開始の初回演算点とすることで、充電判定の演算回数を削減することができる。また、計測点の計測値により、線分の太さを変えることにより、電流の流量を表示することができる。
【００２３】
実施の形態４によれば、系の各所に計測点を設け、その電流計測値が０より大きい場合、充電と判定するようにしたので、これを判定開始の初回演算点とすることができ、したがって充電判定の演算回数を削減することができ、また、計測点の計測値により、線分の太さを変えることにより、電流の流量を表示することができる。
【００２４】
実施の形態５．
実施の形態１では、単に配電線系統の活線／非活線を表示させるのみであったが、活線
／非活線の判定を行えば、受電の流れを表示させることも可能になる。実施の形態５は、この受電の流れを表示させるものである。
【００２５】
例えば、図１の線２の活線／非活線を判定する場合には、
機器１「ＯＮ」→機器１「充電」→点１「充電」→線１「充電」→点２「充電」→機器２「ＯＮ」→機器２「充電」→点３「充電」→線２「充電」→点４「充電」となり、明らかに点３から点４へ向かって電流が流れていることがわかる。
また、図４の線７のように入出力が分岐している場合も同様に、
・・・機器３「ＯＮ」→機器３「充電」→点５「充電」→線７「充電」→点１０、１５、１６、１９「充電」となり、点５から点１０、１５、１６、１９に向かって電流が流れていることがわかる。
従って、活線表示の際に線の始点から終点に向かって描画することにより、電流の流れを表示することができる。
【００２６】
実施の形態５によれば、配電線系統の活線／非活線を表示させるとともに、線の始点から終点に向かって描画することにより、電流の流れを表示させることができる。
【００２７】
実施の形態６．
図８は、この発明の実施の形態６によるビル管理システムの機器の「故障」「保守中」の情報を取り込んだテーブルを示す図である。
図８において、スケルトン監視画面上の機器について、故障、保守中の情報を取り込んでいる。
【００２８】
実施の形態１では、設備側から機器のＯＮ／ＯＦＦ状態のみを取り込んでいたが、実施の形態６は、これに加えて機器の「故障」「保守中」の情報も取り込むようにした。
図８に示すテーブルには、「故障」「保守中」情報を取り込んでいる。この場合、非活線でも「故障」「保守中」の情報を参照し、色分けすることにより、非活線の原因が「故障」のためなのか「保守中」のためなのかを容易に判断することができるようになる。
【００２９】
実施の形態６によれば、スケルトン監視画面上に機器の故障や保守中に応じた表示を行うことができる。
【００３０】
実施の形態７．
実施の形態６では、テーブルを拡張し、機器の「故障」「保守」の情報を取り込んで、非活線を「故障」によるものか「保守」によるものかを区別して表示するようにしたが、実施の形態７は、配電線系統を保守する場合などは、線を「保守」に設定することにより、前段に繋がっている遮断器の遠隔操作をロックし、誤制御を防止するようにしたものである。
【００３１】
例えば、図１の配電線系統（線１）を保守する場合、前段の遮断器（機器１）はＯＦＦし、配電線系統（線１）は、保守中の表示となる。
ここで、保守を行う配電線系統（線１）に対し、スケルトン監視画面から保守中であることを示す設定を行うことにより、その前段（始点側）に接続されている機器（機器１）の遠隔操作をロックすることができるようにしている。そして、保守作業が完了すれば、保守設定を解除することにより機器のロックを解除する。
【００３２】
実施の形態７によれば、線についても、保守中であることを示す設定を行うようにしたので、その前段に接続されている機器の遠隔操作をロックすることができる。
【符号の説明】
【００３３】
２０１  画面表示手段
２０２  入力処理装置
２０３  入力手段
【図２】
2010183775.tif 000003
【図３】
2010183775.tif 000004
【図４】
2010183775.tif 000005
【図５】
2010183775.tif 000006
【図６】
2010183775.tif 000007
【図７】
2010183775.tif 000008
【図１】
2010183775.tif 000009
【図８】
2010183775.tif 000010